(57)【特許請求の範囲】
【請求項１】
光源を有する灯具部と、前記灯具部に一端部が接続されたアーム部と、前記アーム部の他端部を保持する基台部とを備え、前記基台部は、前記アーム部を前記アーム部の周方向に回動自在に保持しており、前記基台部に、電流が流れる送電コイルが設けられ、前記アーム部の前記他端部に、前記送電コイルで発生する磁界による電磁誘導にて前記送電コイルから非接触で受電可能な受電コイルが設けられて、前記受電コイルは、前記光源を点灯させる点灯装置を介して前記光源に電気的に接続されてなり、前記送電コイルおよび前記受電コイルの形状は、前記アーム部を前記周方向に回動させた時に、前記受電コイルと交鎖する磁束量が変化するように形成されてなることを特徴とする照明用非接触給電システム。
【請求項２】
前記送電コイルと前記受電コイルとの少なくとも一方が、前記アーム部の回動軸からずらして配置されてなることを特徴とする請求項１記載の照明用非接触給電システム。
【請求項３】
前記基台部には、前記アーム部側へ突出する第１の軸部が設けられ、前記アーム部の前記他端部に、前記第１の軸部を軸受けする第１の軸受け部が設けられてなることを特徴とする請求項１または請求項２記載の照明用非接触給電システム。
【請求項４】
前記アーム部が筒状に形成されてなり、前記第１の軸受け部が、前記アーム部の中心軸からずらして配置されてなることを特徴とする請求項３記載の照明用非接触給電システム。
【請求項５】
前記基台部には、前記アーム部の前記他端部もしくは前記他端部に設けられた第２の軸部を軸受けする第２の軸受け部が設けられてなることを特徴とする請求項１または請求項２記載の照明用非接触給電システム。
【請求項６】
前記基台部と前記アーム部との一方には、他方の少なくとも一部を軸受けする凹形状の第３の軸受け部が設けられており、前記一部の外周部に螺旋状の第１の突起が設けられ、前記第３の軸受け部の内周部に螺旋状の第２の突起が設けられて、前記第１の突起と前記第２の突起とが、前記アーム部の回動軸に沿った方向に重ねて配置されてなり、前記アーム部を前記周方向に回動させると、前記送電コイルと前記受電コイルとの間の距離が変化することを特徴とする請求項１記載の照明用非接触給電システム。
【発明の詳細な説明】
【技術分野】
【０００１】
本発明は、照明用非接触給電システムに関するものである。
【背景技術】
【０００２】
従来から、非接触給電式の電気器具に関するものが提案されている（例えば、特許文献１）。特許文献１には、非接触給電式の各種の電気器具を収納する浴室カウンター構造が記載されている。また、特許文献１には、図１２に示すような、浴室カウンター構造における照明器具７０の設置状態が記載されている。
【０００３】
浴室カウンター構造の底板８０には、非接触給電のための給電部材８１が埋設されている。また、底板８０は、給電部材８１の周囲に、照明器具７０が覆い被せられる凸部８２が配設されている。
【０００４】
照明器具７０の一面側（図１２では、下面側）は、給電部材８１と対向する部位に、受電部材７１が設けられている。
【０００５】
上述の照明器具７０では、受電部材７１と給電部材８１とが完全に対向する場合に、最大の照度が得られる。また、上述の照明器具７０では、この照明器具７０をいずれかの方向（図１２中の矢印方向）にスライドさせて受電部材７１と給電部材８１との対向範囲を狭めると、照度が低下する。
【先行技術文献】
【特許文献】
【０００６】
【特許文献１】特開平９−３２２４３６号公報
【発明の概要】
【発明が解決しようとする課題】
【０００７】
ところで、上述の照明器具７０では、この照明器具７０をいずれかの上記方向にスライドさせることによって、所望の照度を得ることが可能となる。
【０００８】
しかしながら、上述の照明器具７０では、図示されていない光源の光出力を変化させるために、光源を有する灯具部７２（図１２参照）に触れて照明器具７０をスライドさせる必要がある。
【０００９】
本発明は上記事由に鑑みて為されたものであり、その目的は、灯具部に触れることなく調光可能な照明用非接触給電システムを提供することにある。
【課題を解決するための手段】
【００１０】
本発明の照明用非接触給電システムは、光源を有する灯具部と、前記灯具部に一端部が接続されたアーム部と、前記アーム部の他端部を保持する基台部とを備え、前記基台部は、前記アーム部を前記アーム部の周方向に回動自在に保持しており、前記基台部に、電流が流れる送電コイルが設けられ、前記アーム部の前記他端部に、前記送電コイルで発生する磁界による電磁誘導にて前記送電コイルから非接触で受電可能な受電コイルが設けられて、前記受電コイルは、前記光源を点灯させる点灯装置を介して前記光源に電気的に接続されてなり、前記送電コイルおよび前記受電コイルの形状は、前記アーム部を前記周方向に回動させた時に、前記受電コイルと交鎖する磁束量が変化するように形成されてなることを特徴とする。
【００１１】
この照明用非接触給電システムにおいて、前記送電コイルと前記受電コイルとの少なくとも一方が、前記アーム部の回動軸からずらして配置されてなることが好ましい。
【００１２】
この照明用非接触給電システムにおいて、前記基台部には、前記アーム部側へ突出する第１の軸部が設けられ、前記アーム部の前記他端部に、前記第１の軸部を軸受けする第１の軸受け部が設けられてなることが好ましい。
【００１３】
この照明用非接触給電システムにおいて、前記アーム部が筒状に形成されてなり、前記第１の軸受け部が、前記アーム部の中心軸からずらして配置されてなることが好ましい。
【００１４】
この照明用非接触給電システムにおいて、前記基台部には、前記アーム部の前記他端部もしくは前記他端部に設けられた第２の軸部を軸受けする第２の軸受け部が設けられてなることが好ましい。
【００１５】
この照明用非接触給電システムにおいて、前記基台部と前記アーム部との一方には、他方の少なくとも一部を軸受けする凹形状の第３の軸受け部が設けられており、前記一部の外周部に螺旋状の第１の突起が設けられ、前記第３の軸受け部の内周部に螺旋状の第２の突起が設けられて、前記第１の突起と前記第２の突起とが、前記アーム部の回動軸に沿った方向に重ねて配置されてなり、前記アーム部を前記周方向に回動させると、前記送電コイルと前記受電コイルとの間の距離が変化することが好ましい。
【発明の効果】
【００１６】
本発明の照明用非接触給電システムにおいては、灯具部に触れることなく調光可能となる。
【図面の簡単な説明】
【００１７】
【図１】実施形態１の照明用非接触給電システムに関し、（ａ）は概略分解斜視図、（ｂ）は（ａ）の断面図である。
【図２】同上の照明用非接触給電システムにおいて、送電コイルと受電コイルとの位置関係の説明図である。
【図３】同上の照明用非接触給電システムにおいて、送電コイルおよび受電コイルの形状の説明図である。
【図４】同上の照明用非接触給電システムにおいて、送電コイルおよび受電コイルの他の形状の説明図である。
【図５】実施形態２の照明用非接触給電システムに関し、（ａ）は概略分解斜視図、（ｂ）は（ａ）の断面図である。
【図６】同上の照明用非接触給電システムにおいて、送電コイルと受電コイルとの位置関係の説明図である。
【図７】実施形態３の照明用非接触給電システムに関し、（ａ）は概略分解斜視図、（ｂ）は（ａ）の断面図である。
【図８】同上の照明用非接触給電システムにおいて、送電コイルと受電コイルとの位置関係の説明図である。
【図９】実施形態４の照明用非接触給電システムに関し、（ａ）は概略分解斜視図、（ｂ）は（ａ）の断面図である。
【図１０】同上の照明用非接触給電システムにおいて、送電コイルと受電コイルとの位置関係の説明図である。
【図１１】実施形態５の照明用非接触給電システムに関し、（ａ）は概略分解斜視図、（ｂ）は断面図である。
【図１２】従来例の浴室カウンター構造における照明器具の設置状態を示す説明図である。
【発明を実施するための形態】
【００１８】
（実施形態１）
以下、本実施形態の照明用非接触給電システムについて、図１〜図３を参照しながら説明する。
【００１９】
本実施形態の照明用非接触給電システム１は、例えば、電気スタンドなどの照明器具である。この照明用非接触給電システム１は、光源９を有する灯具部４と、灯具部４に一端部が接続されたアーム部３と、アーム部３の他端部３ａを保持する基台部２とを備えている。また、照明用非接触給電システム１は、非接触給電のために、送電コイル５と受電コイル６とを備えている。
【００２０】
灯具部４は、例えば、傘状に形成されている。本実施形態では、灯具部４の材料として、例えば、金属材料や樹脂材料などを使用することができる。
【００２１】
また、灯具部４の開口部には、板状（本実施形態では、円板状）のパネル１７が配置されている。パネル１７は、透光性を有する材料（例えば、乳白色のアクリル樹脂、ガラスなど）により形成されている。
【００２２】
パネル１７の一表面側（図１では、上面側）の周部には、複数（本実施形態では、４つ）の光源９が配置されている。本実施形態では、各光源９が、パネル１７の外周に沿った仮想円の円周上において等間隔で配置されている。一方、灯具部４の内部には、各光源９を点灯させる点灯装置（図示せず）が配置されている。
【００２３】
各光源９としては、ＬＥＤ（Light Emitting Diode）を採用している。各光源９の電気的な接続関係は、直列接続または並列接続であってもよいし、直列接続と並列接続とを組み合わせた接続であってもよい。ここにおいて、上記点灯装置は、図示しない第１の配線を介して複数の光源９と電気的に接続されている。なお、本実施形態では、光源９の数を、複数としているが、１つであってもよい。また、本実施形態では、各光源９としてＬＥＤを採用しているが、これに限らず、例えば、有機エレクトロルミネッセンス素子などを採用することもできる。
【００２４】
アーム部３は、例えば、筒状（本実施形態では、有底円筒状）に形成されている。本実施形態では、アーム部３の材料として、例えば、樹脂材料などを使用することができる。
【００２５】
アーム部３の上記一端部（図１では、上端部）は、パネル１７の中央部に着脱自在に接続される。ここにおいて、パネル１７の中央部には、灯具部４の内部とアーム部３の内部とを連通するための貫通孔１７ａが設けられている。また、アーム部３は、パネル１７の貫通孔１７ａを覆うようにして、パネル１７の中央部に接続されている。なお、本実施形態の照明用非接触給電システム１では、アーム部３をパネル１７の中央部に接続しているが、アーム部３とパネル１７との接続はこれに限るものではない。また、本実施形態では、アーム部３の形状を、有底円筒状としているが、これに限らず、例えば、円筒状、角筒状などであってもよい。
【００２６】
基台部２は、扁平な箱状に形成されている。本実施形態では、基台部２の材料として、例えば、樹脂材料などを使用することができる。なお、本実施形態では、基台部２の平面視形状を、円形状としているが、この形状を特に限定するものではない。
【００２７】
基台部２の一面側（図１では、上面側）の中央部には、アーム部３側へ突出する第１の軸部７が設けられている。本実施形態では、第１の軸部７の形状を、例えば、円柱状としている。ここにおいて、アーム部３の他端部３ａには、第１の軸部７を軸受けする第１の軸受け部８が設けられている。本実施形態では、第１の軸受け部８の形状を、例えば、円筒状としている。第１の軸受け部８の内径寸法は、第１の軸部７の外径寸法よりも若干大きく設定されている。これにより、基台部２は、アーム部３の他端部３ａを保持することが可能となる。また、基台部２は、アーム部３をこのアーム部３の周方向（図２中の矢印３２の方向）に回動自在に保持することが可能となる。なお、本実施形態の照明用非接触給電システム１では、第１の軸部７の中心軸を、アーム部３の中心軸と一致させている。また、本実施形態では、第１の軸受け部８の中心軸を、アーム部３の中心軸と一致させている。つまり、本実施形態の照明用非接触給電システム１では、第１の軸部７の中心軸が、アーム部３の回動軸３０となる。
【００２８】
基台部２の内部には、電流（高周波電流）が流れる送電コイル５が配置されている。また、基台部２の内部には、送電コイル５へ電流（高周波電流）を出力する電源装置（図示せず）が配置されている。この電源装置は、図示しない第２の配線を介して送電コイル５と電気的に接続されている。また、電源装置は、電源コード１０と電気的に接続されている。この電源コード１０は、基台部２の側部から導出されている。また、電源コード１０には、コンセント用のプラグ１９が接続されている。また、電源コード１０には、電源装置への給電をオンオフするためのスイッチ（図示せず）が設けられている。
【００２９】
送電コイル５としては、例えば、平面視が円形状で巻軸方向が基台部２の厚み方向に沿った方向であるコイルなどを使用することができる（図２および図３参照）。なお、本実施形態では、送電コイル５の巻き数を特に限定しない。
【００３０】
また、送電コイル５は、第１の軸部７の中心軸からずらして配置されている。要するに、送電コイル５は、アーム部３の回動軸３０からずらして配置されている。ここにおいて、アーム部３の他端部３ａには、送電コイル５で発生する磁界による電磁誘導にて送電コイル５から非接触で受電可能な受電コイル６が設けられている。
【００３１】
受電コイル６としては、例えば、平面視が円形状で巻軸方向が基台部２の厚み方向に沿った方向であるコイルなどを使用することができる（図２および図３参照）。なお、本実施形態では、受電コイル６の巻き数を特に限定しない。
【００３２】
受電コイル６の外径寸法は、送電コイル５の外径寸法よりも小さく設定されている。また、受電コイル６の内径寸法は、送電コイル５の内径寸法よりも小さく設定されている。つまり、本実施形態の照明用非接触給電システム１では、受電コイル６の平面サイズが、送電コイル５の平面サイズよりも小さく設定されている。
【００３３】
また、受電コイル６は、第１の軸部７の中心軸からずらして配置されている。要するに、受電コイル６は、アーム部３の回動軸３０からずらして配置されている。
【００３４】
また、受電コイル６は、図示しない第３の配線を介して、灯具部４の内部に配置された上記点灯装置と電気的に接続されている。要するに、受電コイル６は、上記点灯装置を介して光源９に電気的に接続されている。なお、本実施形態の照明用非接触給電システム１では、上記点灯装置を、灯具部４の内部に配置しているが、これに限らず、例えば、アーム部３の内部に配置してもよい。また、本実施形態では、送電コイル５と受電コイル６との両方を、アーム部３の回動軸３０からずらして配置しているが、これに限らず、送電コイル５と受電コイル６との一方を、アーム部３の回動軸３０からずらして配置してもよい。
【００３５】
ところで、送電コイル５および受電コイル６の形状は、アーム部３をこのアーム部３の回動軸３０を中心線として上記周方向に回動させた時に、受電コイル６と交鎖する磁束量が変化するように形成されている（図２および図３参照）。具体的に説明すると、送電コイル５および受電コイル６の平面視形状は、送電コイル５と受電コイル６とが対向する位置に配置されたとき、送電コイル５で発生する磁界による電磁誘導に応じて受電コイル６に誘起電流が流れるように形成されている。ここにおいて、上記点灯装置は、受電コイル６に流れる誘起電流を整流する整流部（図示せず）と、この整流部により整流された電流を平滑して各光源９へ出力する平滑用のコンデンサ（図示せず）とを有している。
【００３６】
本実施形態の照明用非接触給電システム１では、送電コイル５と受電コイル６とが、図３に示すように、アーム部３の回動軸３０に沿った方向をｚ軸方向とし、アーム部３の回動軸３０に直交する面内で互いに直交する方向をｘ軸方向、ｙ軸方向と規定した直交座標系のｚ軸方向に離間して配置されている。また、本実施形態では、送電コイル５が、図３中の直交座標系のｘｙ平面内に配置されている。また、本実施形態では、受電コイル６が、図３中の直交座標系のｘｙ平面と平行な面内で上記周方向に回動する。なお、図３では、基台部２およびアーム部３の図示を省略している。また、図３中の矢印３２は、アーム部３の上記周方向を表している。
【００３７】
また、本実施形態の照明用非接触給電システム１では、送電コイル５と受電コイル６との少なくとも一方が、図３に示すように、アーム部３の回動軸３０からずらして配置されているので、アーム部３を上記周方向に回動させるだけで、受電コイル６に流れる誘起電流の電流量を変化させることが可能となる。
【００３８】
本実施形態の照明用非接触給電システム１では、プラグ１９が図示しないコンセントに接続された状態で、送電コイル５と受電コイル６とが対向する位置に配置されたとき、受電コイル６に誘起電流が流れるので、上記点灯装置により各光源９を点灯させることが可能となる。また、本実施形態の照明用非接触給電システム１では、アーム部３を上記周方向に回動させた時に、受電コイル６と交鎖する磁束量が変化するので、受電コイル６に流れる誘起電流の電流量を変化させることが可能となる。また、本実施形態の照明用非接触給電システム１では、アーム部３を上記周方向に回動させた時に、受電コイル６に流れる誘起電流の電流量を変化させることができるので、上記点灯装置が各光源９の光出力の大きさを変化させることが可能となる。つまり、本実施形態の照明用非接触給電システム１では、アーム部３を上記周方向に回動させるだけで、各光源９を調光することが可能となる。これにより、本実施形態の照明用非接触給電システム１では、例えば、各光源９を調光するための別体の調光用ボリュームなどが不要となる。
【００３９】
また、本実施形態の照明用非接触給電システム１では、利用者がアーム部３を持ってこのアーム部３を上記周方向に回動させることにより、上記点灯装置が各光源９の光出力の大きさを変化させることができるので、灯具部４に触れることなく調光が可能となる。また、本実施形態の照明用非接触給電システム１では、各光源９を調光するときに、図１２に示した構成の従来例の照明器具７０に比べて、灯具部４の位置が変わるのを抑制することが可能となる。また、本実施形態の照明用非接触給電システム１では、各光源９を調光するときに、図１２に示した構成の従来例の照明器具７０のような、照明器具７０をスライドさせるためのスペースが不要となる。
【００４０】
なお、本実施形態の照明用非接触給電システム１では、照明用非接触給電システム１の一例として、電気スタンドを例示しているが、この照明器具を特に限定するものではない。
【００４１】
以上説明した本実施形態の照明用非接触給電システム１では、光源９を有する灯具部４と、灯具部４に一端部が接続されたアーム部３と、アーム部３の他端部３ａを保持する基台部２とを備えている。また、本実施形態の照明用非接触給電システム１では、基台部２が、アーム部３をこのアーム部３の上記周方向に回動自在に保持している。さらに、本実施形態の照明用非接触給電システム１では、基台部２に、電流が流れる送電コイル５が設けられ、アーム部３の他端部３ａに、送電コイル５で発生する磁界による電磁誘導にて送電コイル５から非接触で受電可能な受電コイル６が設けられている。また、本実施形態の照明用非接触給電システム１では、受電コイル６が、光源９を点灯させる上記点灯装置を介して光源９に電気的に接続されている。そして、本実施形態の照明用非接触給電システム１では、送電コイル５および受電コイル６の形状が、アーム部３を上記周方向に回動させた時に、受電コイル６と交鎖する磁束量が変化するように形成されている。これにより、本実施形態の照明用非接触給電システム１では、利用者がアーム部３を持ってこのアーム部３を上記周方向に回動させることにより、上記点灯装置が光源９の光出力の大きさを変化させることができるので、灯具部４に触れることなく調光が可能となる。
【００４２】
また、本実施形態の照明用非接触給電システム１では、送電コイル５と受電コイル６との少なくとも一方を、アーム部３の回動軸３０からずらして配置しているので、アーム部３を上記周方向に回動させるだけで、調光が可能となる。
【００４３】
また、本実施形態の照明用非接触給電システム１では、基台部２にアーム部３側へ突出する第１の軸部７を設け、アーム部３の他端部３ａに第１の軸部７を軸受けする第１の軸受け部８を設けているので、簡単な構成でアーム部３を上記周方向に回動させることが可能となる。
【００４４】
上述の送電コイル５および受電コイル６は、平面視が円形状で巻軸方向が基台部２の厚み方向に沿った方向であるコイルを使用しているが、これに限らず、例えば、平面視が矩形状で巻軸方向が基台部２の厚み方向に沿った方向であるコイルなどを使用してもよい（図４参照）。この場合には、受電コイル６の平面サイズを、送電コイル５の平面サイズと同じ大きさに設定してもよい（図４参照）。これにより、照明用非接触給電システム１では、アーム部３を上記周方向に回動させるだけで、各光源９の光出力の大きさを連続的に変化させることが可能となる。
【００４５】
（実施形態２）
本実施形態の照明用非接触給電システム１は、基本構成が実施形態１と略同じであり、図５および図６に示すように、第１の軸受け部８の位置などが実施形態１と相違する。なお、実施形態１と同様の構成要素には同一の符号を付して説明を適宜省略する。
【００４６】
本実施形態の照明用非接触給電システム１では、第１の軸受け部８が、アーム部３の中心軸からずらして配置されている。これにより、本実施形態の照明用非接触給電システム１では、実施形態１に比べて、受電コイル６を配置するためのスペースが大きくなり、受電コイル６の平面サイズを大きくすることが可能となる。
【００４７】
以上説明した本実施形態の照明用非接触給電システム１では、第１の軸受け部８をアーム部３の中心軸からずらして配置しているので、受電コイル６の平面サイズを大きくすることが可能となり、受電コイル６で発生する熱を減少することが可能となる。
【００４８】
（実施形態３）
本実施形態の照明用非接触給電システム１は、基本構成が実施形態１と略同じであり、図７および図８に示すように、基台部２に、アーム部３の他端部３ａを軸受けする第２の軸受け部１１が設けられる点などが実施形態１と相違する。なお、実施形態１と同様の構成要素には同一の符号を付して説明を適宜省略する。
【００４９】
本実施形態の照明用非接触給電システム１では、基台部２の上記一面側（図７では、上面側）の中央部に、上述の第２の軸受け部１１が配置されている。本実施形態では、第２の軸受け部１１の形状を、例えば、有底円筒状としている。また、第２の軸受け部１１の内径寸法は、アーム部３の外径寸法よりも若干大きく設定されている。これにより、基台部２は、アーム部３の他端部３ａを保持することが可能となる。また、基台部２は、アーム部３を上記周方向に回動自在に保持することが可能となる。よって、本実施形態の照明用非接触給電システム１では、実施形態１に比べて、簡単な構成でアーム部３を上記周方向に回動させることが可能となる。なお、本実施形態の照明用非接触給電システム１では、第２の軸受け部１１の中心軸を、アーム部３の中心軸と一致させている。つまり、本実施形態の照明用非接触給電システム１では、第２の軸受け部１１の中心軸が、アーム部３の回動軸３０となる。また、図８中の矢印３２は、アーム部３の上記周方向を表している。
【００５０】
送電コイル５は、第２の軸受け部１１の中心軸からずらして配置されている。要するに、送電コイル５は、アーム部３の回動軸３０からずらして配置されている。
【００５１】
本実施形態の照明用非接触給電システム１では、第２の軸受け部１１が、アーム部３の他端部３ａを軸受けするようにしているが、これに限らず、例えば、アーム部３の他端部３ａに設けられた円柱状の第２の軸部（図示せず）を軸受けするようにしてもよい。この場合には、第２の軸受け部１１の内径寸法を、第２の軸部の外径寸法よりも若干大きく設定すればよい。
【００５２】
以上説明した本実施形態の照明用非接触給電システム１では、基台部２に、アーム部３の他端部３ａもしくは他端部３ａに設けられた上記第２の軸部を軸受けする第２の軸受け部１１を設けているので、実施形態１および実施形態２に比べて、受電コイル６を配置するためのスペースが大きくなり、受電コイル６の平面サイズを大きくすることが可能となる。また、本実施形態の照明用非接触給電システム１では、実施形態１および実施形態２に比べて、受電コイル６の平面サイズを大きくすることが可能となるので、受電コイル６で発生する熱をさらに減少することが可能となる。
【００５３】
（実施形態４）
本実施形態の照明用非接触給電システム１は、基本構成が実施形態３と略同じであり、図９に示すように、アーム部３の他端部３ａに設けられた上述の第２の軸部１２の外周部に螺旋状の第１の突起１３が設けられる点などが実施形態３と相違する。なお、実施形態３と同様の構成要素には同一の符号を付して説明を適宜省略する。
【００５４】
基台部２の上記一面側（図９では、上面側）の中央部には、アーム部３の第２の軸部１２を軸受けする凹形状の第３の軸受け部１４が設けられている。本実施形態では、第３の軸受け部１４の形状を、例えば、円筒状としている。第３の軸受け部１４の内径寸法は、第２の軸部１２の外径寸法よりも若干大きく設定されている。これにより、本実施形態の照明用非接触給電システム１では、アーム部３を上記周方向に回動させることが可能となる。
【００５５】
本実施形態の照明用非接触給電システム１では、送電コイル５の中心軸を、第２の軸部１２の中心軸および第３の軸受け部１４の中心軸と一致させている。つまり、本実施形態の照明用非接触給電システム１では、第３の軸受け部１４の中心軸が、アーム部３の回動軸３０となる。要するに、本実施形態の照明用非接触給電システム１では、送電コイル５の中心軸を、アーム部３の回動軸３０と一致させている。
【００５６】
受電コイル６は、第２の軸部１２に設けられている。本実施形態の照明用非接触給電システム１では、受電コイル６の中心軸を、第２の軸部１２の中心軸および第３の軸受け部１４の中心軸と一致させている。要するに、本実施形態の照明用非接触給電システム１では、受電コイル６の中心軸を、アーム部３の回動軸３０と一致させている。
【００５７】
第３の軸受け部１４の内周部には、螺旋状の第２の突起１５が設けられている。本実施形態の照明用非接触給電システム１では、第１の突起１３と第２の突起１５とが、基台部２の厚み方向（図９（ｂ）では、上下方向）に重ねて配置されている。また、本実施形態の照明用非接触給電システム１では、アーム部３を上記周方向に回動させると、送電コイル５と受電コイル６との間の距離３１（図１０参照）が変化する。これにより、本実施形態の照明用非接触給電システム１では、受電コイル６と交鎖する磁束量が変化するので、各光源９を調光することが可能となる。つまり、本実施形態の照明用非接触給電システム１では、アーム部３を上記周方向に回動させるだけで、調光が可能となる。なお、本実施形態では、基台部２の上記厚み方向が、アーム部３の回動軸３０に沿った方向と一致している。また、図１０中の矢印３２は、アーム部３の上記周方向を表している。また、図１０では、基台部２およびアーム部３の図示を省略している。
【００５８】
以上説明した本実施形態の照明用非接触給電システム１では、基台部２に、アーム部３の少なくとも一部（第２の軸部１２）を軸受けする凹形状の第３の軸受け部１４が設けられている。また、本実施形態の照明用非接触給電システム１では、アーム部３の一部（第２の軸部１２）の外周部に螺旋状の第１の突起１３が設けられ、第３の軸受け部１４の内周部に螺旋状の第２の突起１５が設けられている。また、本実施形態の照明用非接触給電システム１では、第１の突起１３と第２の突起１５とが、アーム部３の回動軸３０に沿った方向に重ねて配置されている。そして、本実施形態の照明用非接触給電システム１では、アーム部３を上記周方向に回動させると、送電コイル５と受電コイル６との間の距離３１が変化するので、調光が可能となる。また、本実施形態の照明用非接触給電システム１では、実施形態３に比べて、受電コイル６を配置するためのスペースが大きくなり、受電コイル６の平面サイズをさらに大きくすることが可能となる。これにより、本実施形態の照明用非接触給電システム１では、実施形態３に比べて、受電コイル６で発生する熱をさらに減少することが可能となる。
【００５９】
（実施形態５）
本実施形態の照明用非接触給電システム１は、基本構成が実施形態３と略同じであり、図１１に示すように、アーム部３の他端部３ａに、基台部２に設けられた第３の軸部１６を軸受けする凹形状の第３の軸受け部１８が設けられる点などが実施形態３と相違する。なお、実施形態３と同様の構成要素には同一の符号を付して説明を適宜省略する。
【００６０】
基台部２の上記一面側（図１１では、上面側）の中央部には、アーム部３側へ突出する上述の第３の軸部１６が設けられている。本実施形態では、第３の軸部１６の形状を、例えば、円柱状としている。第３の軸部１６の外周部には、螺旋状の第１の突起１３が設けられている。
【００６１】
本実施形態の照明用非接触給電システム１では、第３の軸受け部１８の形状を、例えば、円筒状としている。第３の軸受け部１８の内径寸法は、第３の軸部１６の外径寸法よりも若干大きく設定されている。これにより、本実施形態の照明用非接触給電システム１では、アーム部３を上記周方向に回動させることが可能となる。
【００６２】
本実施形態の照明用非接触給電システム１では、送電コイル５の中心軸を、第３の軸部１６の中心軸および第３の軸受け部１８の中心軸と一致させている。つまり、本実施形態の照明用非接触給電システム１では、第３の軸部１６の中心軸が、アーム部３の回動軸３０となる。要するに、本実施形態の照明用非接触給電システム１では、送電コイル５の中心軸を、アーム部３の回動軸３０と一致させている。また、本実施形態の照明用非接触給電システム１では、受電コイル６の中心軸を、第３の軸部１６の中心軸と一致させている。要するに、本実施形態の照明用非接触給電システム１では、受電コイル６の中心軸を、アーム部３の回動軸３０と一致させている。
【００６３】
第３の軸受け部１８の内周部には、螺旋状の第２の突起１５が設けられている。本実施形態の照明用非接触給電システム１では、第１の突起１３と第２の突起１５とが、基台部２の厚み方向（図１１（ｂ）では、上下方向）に重ねて配置されている。また、本実施形態の照明用非接触給電システム１では、アーム部３を上記周方向に回動させると、送電コイル５と受電コイル６との間の距離３１（図１０参照）が変化する。これにより、本実施形態の照明用非接触給電システム１では、受電コイル６と交鎖する磁束量が変化するので、各光源９を調光することが可能となる。つまり、本実施形態の照明用非接触給電システム１では、アーム部３を上記周方向に回動させるだけで、調光が可能となる。なお、本実施形態では、基台部２の上記厚み方向が、アーム部３の回動軸３０に沿った方向と一致している。
【００６４】
以上説明した本実施形態の照明用非接触給電システム１では、アーム部３に、基台部２の少なくとも一部（第３の軸部１６）を軸受けする凹形状の第３の軸受け部１８が設けられている。また、本実施形態の照明用非接触給電システム１では、基台部２の一部（第３の軸部１６）の外周部に螺旋状の第１の突起１３が設けられ、第３の軸受け部１８の内周部に螺旋状の第２の突起１５が設けられている。また、本実施形態の照明用非接触給電システム１では、第１の突起１３と第２の突起１５とが、アーム部３の回動軸３０に沿った方向に重ねて配置されている。そして、本実施形態の照明用非接触給電システム１では、アーム部３を上記周方向に回動させると、送電コイル５と受電コイル６との間の距離３１が変化するので、調光が可能となる。また、本実施形態の照明用非接触給電システム１では、実施形態３に比べて、受電コイル６を配置するためのスペースが大きくなり、受電コイル６の平面サイズをさらに大きくすることが可能となる。これにより、本実施形態の照明用非接触給電システム１では、実施形態３に比べて、受電コイル６で発生する熱をさらに減少することが可能となる。
【符号の説明】
【００６５】
１  照明用非接触給電システム
２  基台部
３  アーム部
３ａ  他端部
４  灯具部
５  送電コイル
６  受電コイル
７  第１の軸部
８  第１の軸受け部
９  光源
１１  第２の軸受け部
１２  第２の軸部
１３  第１の突起
１４  第３の軸受け部
１５  第２の突起
１８  第３の軸受け部
３０  回動軸
３１  距離
【図１】
0005874053.tif 000002
【図２】
0005874053.tif 000003
【図３】
0005874053.tif 000004
【図４】
0005874053.tif 000005
【図５】
0005874053.tif 000006
【図６】
0005874053.tif 000007
【図７】
0005874053.tif 000008
【図８】
0005874053.tif 000009
【図９】
0005874053.tif 000010
【図１０】
0005874053.tif 000011
【図１１】
0005874053.tif 000012
【図１２】
0005874053.tif 000013